(57)【要約】      （修正有）【課題】センサの検出結果に応じて制御される水栓装置に入力部を設けた場合においても、新たな信号線を設けることが無く、吐水部の大型化を防ぐことができる給水システムを提供する。【解決手段】センサ８の検出に応じて吐水口３ａからの吐水を制御する制御部１１２を有する吐水部３と、吐水口３ａへの給水路を開閉する自己保持型の電磁弁６と、電磁弁６の開閉駆動を制御する駆動部９と、を有する機能部１１と、制御部１１２と駆動部９を繋いでいる第１信号ラインＬ１及び第２信号ラインＬ２と、駆動部９と電磁弁６を繋いでいる第３信号ラインＬ３及び第４信号ラインＬ４と、を備える給水システムにおいて、外部からの信号が入力される入力部１０をさらに備え、入力部１０は、信号が入力されると、駆動部９が電磁弁６に通電させない状態で、第１信号ラインＬ１又は第２信号ラインＬ２の少なくとも一方を、非アクティブの電圧値とは異なる第１の電圧値とする。【選択図】図２
2015055134.tif 000002
【特許請求の範囲】
【請求項１】
水を吐水する吐水口と、人体を検出するセンサと、前記センサの検出に応じて前記吐水口からの吐水を制御する制御部と、を有する吐水部と、
前記吐水口への給水路を開閉する自己保持型の電磁弁と、前記電磁弁の開駆動及び閉駆動を制御する駆動部と、を有する機能部と、
前記制御部と前記駆動部を繋いでいる第１信号ライン及び第２信号ラインと、
前記駆動部と前記電磁弁を繋いでいる第３信号ライン及び第４信号ラインと、を備え、
前記制御部は、前記センサの検出信号に基づいて前記電磁弁の開弁が必要と判断すると、前記第１信号ラインの電圧レベルを非アクティブの電圧値からアクティブの電圧値へ切り替えると共に、前記電磁弁の閉弁が必要と判断すると、前記第２信号ラインの電圧レベルを前記非アクティブの電圧値から前記アクティブの電圧値へ切り替え、
前記駆動部は、前記第１信号ラインが、所定の閾値電圧値と前記非アクティブの電圧値との間の電圧状態である非アクティブな電圧状態から、所定の閾値電圧値と前記アクティブの電圧値との間の電圧状態であるアクティブな電圧状態に切り替わるとき、第１の所定時間、前記第３信号ラインの電圧レベルを非アクティブの電圧値からアクティブの電圧値へ切り替えることで、前記電磁弁を開弁させ、前記第２信号ラインが、前記非アクティブな電圧状態から、前記アクティブな電圧状態に切り替わるとき、第２の所定時間、前記第４信号ラインの電圧レベルを前記非アクティブの電圧値から前記アクティブの電圧値へ切り替えることで、前記電磁弁を閉弁させる給水システムにおいて、
外部からの信号が入力される入力部をさらに備え、
前記入力部は、信号が入力されると、前記駆動部が前記電磁弁に通電させない状態で、前記第１信号ライン又は前記第２信号ラインの少なくとも一方を、前記非アクティブの電圧値とは異なる第１の電圧値とすることを特徴とする給水システム。
【請求項２】
前記吐水部と前記駆動部とに電力を供給する電源部と、
前記電源部における電源の遮断を検出する電源遮断検出部と、をさらに備え、
前記入力部は、信号が入力されると、前記駆動部が前記電磁弁に通電させない状態で、前記第１信号ライン又は前記第２信号ラインのうち、前記第１信号ラインを前記第１の電圧値とし、
前記電源遮断検出部は、電源の遮断を検出すると、前記駆動部が前記電磁弁に通電させない状態で、前記第１信号ラインを、前記非アクティブの電圧値及び前記第１の電圧値とは異なる第２の電圧値とすることを特徴とする請求項１に記載の給水システム。
【請求項３】
前記第１の電圧値がアクティブな電圧状態であるとき、前記入力部は前記第３信号ラインを非アクティブの電圧値とすることを特徴とする請求項１又は２に記載の給水システム。
【請求項４】
前記第２の電圧値がアクティブな電圧状態であるとき、前記電源遮断検出部は前記第３信号ラインを非アクティブの電圧値とすることを特徴とする請求項２又は３に記載の給水システム。
【請求項５】
前記吐水部と前記駆動部とに電力を供給する電源部と、
前記電源部における電源の遮断を検出する電源遮断検出部と、をさらに備え、
前記入力部は、信号が入力されると、前記駆動部が前記電磁弁に通電させない状態で、前記第１信号ライン又は前記第２信号ラインのうち、前記第１信号ラインを前記第１の電圧値とし、
前記電源遮断検出部は、電源の遮断を検出したとき、前記第１信号ラインをアクティブの電圧状態とするとともに、前記第３信号ラインを前記非アクティブの電圧値とし、
前記第２の所定時間より長い第３の所定時間遅れて、前記第２信号ラインをアクティブの電圧状態とすることを特徴とする請求項１に記載の給水システム。
【請求項６】
前記電源遮断検出部は、電源の入力を検出したとき、前記第２信号ラインを非アクティブの電圧状態とし、
前記第１の所定時間より長い第４の所定時間遅れて、前記第１信号ラインを非アクティブの電圧状態とすることを特徴とする請求項５に記載の給水システム。
【発明の詳細な説明】
【技術分野】
【０００１】
本発明は、センサの検出結果に応じて制御される給水装置において、入力部を設けた給水システムに関する。
【背景技術】
【０００２】
給水システムとして、例えば、自動水栓では、センサで人の手を検知して電磁弁を駆動することにより、吐止水を制御している。特に、ラッチ式電磁弁を採用した自動水栓は、開／閉動作の切り替えの際に瞬間的に電力を消費するのみであり、開または閉の状態を保持するのに電力を必要とする通常の電磁弁に比べて駆動電力が少なく、節電に効果がある（特開２００９−８４７９２）。
【０００３】
また、自動水栓の機種の中には、スパウトが設けられている台座部分に、手動で水の出し止めができるようにスイッチが設けられているものがある。
【０００４】
ところで、自動水栓の中には、使い勝手の向上のため、吐水口付近（以下、吐水部と記載する。）にセンサを配置しているものがある。この場合、センサへの一連の信号処理部（以下、制御部と記載する。）も吐水部に配置する事が望ましい。これにより、微小なアナログ信号のセンサ出力に基づいて制御部が実行する検知判断処理において、外乱ノイズの影響を最小限に抑制することができるからである。
【０００５】
このとき、商用電源から各種電源を生成する電源部や、電磁弁の駆動処理部などの機能部は、電磁弁が配置されるカウンタの下や洗面台の壁の裏面といった、使用者の目に触れない場所に配置されることが一般的である。これにより、吐水口の収納スペースやデザイン性が向上し、電磁弁を安定駆動させることができる。
【０００６】
このように、センサと機能部とが分離して配置される場合、センサが設けられている吐水部と機能部の双方に、マイクロコンピュータ等の制御部を設けることが一般的である。
【先行技術文献】
【特許文献】
【０００７】
【特許文献１】特開２００９−０８４７９２号公報
【発明の概要】
【発明が解決しようとする課題】
【０００８】
しかし、制御部を複数設けると、その分コストが掛かる。そこで、センサが設けられている吐水部にのみ制御部を設置する方法が考えられるが、スイッチを吐水部から離れた位置に設ける場合、機能部と制御部を繋ぐ信号線以外に、制御部とスイッチを繋ぐ信号線を新たに設ける必要が発生してしまう。その結果、制御部を設けている吐水部であるスパウトが大型化してしまうという問題があった。
【０００９】
本発明は、上記課題に鑑みてなされたもので、センサの検出結果に応じて制御される水栓装置に入力部を設けた場合において、新たな信号線を設けることが無く、吐水部の大型化を防ぐことができる給水システムを提供することを目的としている。
【課題を解決するための手段】
【００１０】
本発明に係る給水システムは、水を吐水する吐水口と、人体を検出するセンサと、前記センサの検出に応じて前記吐水口からの吐水を制御する制御部と、を有する吐水部と、前記吐水口への給水路を開閉する自己保持型の電磁弁と、前記電磁弁の開駆動及び閉駆動を制御する駆動部と、を有する機能部と、前記制御部と前記駆動部を繋いでいる第１信号ライン及び第２信号ラインと、前記駆動部と前記電磁弁を繋いでいる第３信号ライン及び第４信号ラインと、を備え、前記制御部は、前記センサの検出信号に基づいて前記電磁弁の開弁が必要と判断すると、前記第１信号ラインの電圧レベルを非アクティブの電圧値からアクティブの電圧値へ切り替えると共に、前記電磁弁の閉弁が必要と判断すると、前記第２信号ラインの電圧レベルを前記非アクティブの電圧値から前記アクティブの電圧値へ切り替え、前記駆動部は、前記第１信号ラインが、所定の閾値電圧値と前記非アクティブの電圧値との間の電圧状態である非アクティブな電圧状態から、所定の閾値電圧値と前記アクティブの電圧値との間の電圧状態であるアクティブな電圧状態に切り替わるとき、第１の所定時間、前記第３信号ラインの電圧レベルを非アクティブの電圧値からアクティブの電圧値へ切り替えることで、前記電磁弁を開弁させ、前記第２信号ラインが、前記非アクティブな電圧状態から、前記アクティブな電圧状態に切り替わるとき、第２の所定時間、前記第４信号ラインの電圧レベルを前記非アクティブの電圧値から前記アクティブの電圧値へ切り替えることで、前記電磁弁を閉弁させる給水システムにおいて、外部からの信号が入力される入力部をさらに備え、前記入力部は、信号が入力されると、前記駆動部が前記電磁弁に通電させない状態で、前記第１信号ライン又は前記第２信号ラインの少なくとも一方を、前記非アクティブの電圧値とは異なる第１の電圧値とすることを特徴としている。
【００１１】
このような構成により、センサの検出結果に応じて制御される給水システムに入力部を設けた際にも、入力部は駆動部を動作させずに制御部に信号を送信することができ、入力部からの信号送信は、制御部が電磁弁を駆動させる指令を送信するための信号ラインを共有して用いることが出来る。従って、入力部の信号送信に用いるラインを吐水部内に新たに設ける必要がなく、入力部の信号送信に用いるラインを吐水部内に設けた場合と比べて、吐水部をコンパクト化することができる。
【００１２】
また、本発明に係る給水システムにおいては、好ましくは、前記吐水部と前記駆動部とに電力を供給する電源部と、前記電源部における電源の遮断を検出する電源遮断検出部と、をさらに備え、前記入力部は、信号が入力されると、前記駆動部が前記電磁弁に通電させない状態で、前記第１信号ライン又は前記第２信号ラインのうち、前記第１信号ラインを前記第１の電圧値とし、前記電源遮断検出部は、電源の遮断を検出すると、前記駆動部が前記電磁弁に通電させない状態で、前記第１信号ラインを、前記非アクティブの電圧値及び前記第１の電圧値とは異なる第２の電圧値とする構成としてある。
【００１３】
このような構成により、電源遮断検出部は電源の遮断を検出すると、電源の遮断を検出すると、駆動部が電磁弁に通電させない状態で、第１信号ラインを、非アクティブの電圧値及び第１の電圧値とは異なる第２の電圧値とするため、停電などによって電源が遮断したことを確実に検出できる。また、電源遮断検出部及び入力部は、第１信号ラインと第２信号ラインのうち、電磁弁への開通電ラインである第１信号ラインのみを使用するので、電磁弁への閉通電ラインである第２信号ラインを、緊急時に止水できるよう空けておくことができる。
【００１４】
また、本発明に係る給水システムにおいては、好ましくは、前記第１の電圧値がアクティブな電圧状態であるとき、前記入力部は前記第３信号ラインを非アクティブの電圧値にする構成としてある。
【００１５】
このような構成により、第１の電圧値がアクティブな電圧状態であっても、入力部は第３信号ラインを非アクティブの電圧値にするため、電磁弁を開弁させることなく、制御部は入力部からの信号を検出できる。また、入力部は、第１信号ラインを非アクティブな電圧状態にする構成でもアクティブな電圧状態にする構成でも構わないため、幅広い電圧状態の中から電圧値を設定することができ、入力部からの信号と電源遮断検出部からの信号とが、区別し易くなる。
【００１６】
また、本発明に係る給水システムにおいては、好ましくは、前記第２の電圧値がアクティブな電圧状態であるとき、前記電源遮断検出部は前記第３信号ラインを非アクティブの電圧値にする構成としてある。
【００１７】
このような構成により、第２の電圧値がアクティブな電圧状態であっても、電源遮断検出部は第３信号ラインを非アクティブの電圧値にするため、電磁弁を開弁させることなく、制御部は電源遮断検出部からの信号を検出できる。また、電源遮断検出部は、第１信号ラインを非アクティブな電圧状態にする構成でもアクティブな電圧状態にする構成でも構わないため、幅広い電圧状態の中から電圧値を設定することができ、入力部からの信号と電源遮断検出部からの信号とが、区別し易くなる。
【００１８】
また、本発明に係る給水システムにおいては、好ましくは、前記吐水部と前記駆動部とに電力を供給する電源部と、前記電源部における電源の遮断を検出する電源遮断検出部と、をさらに備え、前記入力部は、信号が入力されると、前記駆動部が前記電磁弁に通電させない状態で、前記第１信号ライン又は前記第２信号ラインのうち、前記第１信号ラインを前記第１の電圧値とし、前記電源遮断検出部は、電源の遮断を検出したとき、前記第１信号ラインをアクティブの電圧状態とするとともに、前記第３信号ラインを前記非アクティブの電圧値とし、前記第２の所定時間より長い第３の所定時間遅れて、前記第２信号ラインをアクティブの電圧状態とする構成としてある。
【００１９】
このような構成により、電源遮断を検出した際に、第１信号ラインをアクティブの電圧状態とし、かつ電磁弁が閉弁する時間より長い所定時間経過した後、第２信号ラインをアクティブの電圧状態とすることで、電磁弁の開駆動を確実に止めることができる。
【００２０】
また、本発明に係る給水システムにおいては、好ましくは、前記電源遮断検出部は、電源の入力を検出したとき、前記第２信号ラインを非アクティブの電圧状態とし、前記第１の所定時間より長い第４の所定時間遅れて、前記第１信号ラインを非アクティブの電圧状態とする構成としてある。
【００２１】
このような構成により、電源が復帰した際に、第２信号ラインを非アクティブの電圧状態とし、かつ電磁弁が開弁する時間より長い所定時間経過した後、第１信号ラインを非アクティブの電圧状態とすることで、電磁弁への開通電中に電源遮断が起きたとしても、制御部は電源遮断が起こったか否かを確実に検出できる。
【発明の効果】
【００２２】
本発明の給水システムによれば、センサの検出結果に応じて制御される水栓装置に入力部を設けた場合において、新たな信号線を設けることが無くとも、スイッチ等の外部からの信号を確実に検出でき、かつ吐水部の大型化を防ぐことができる。
【図面の簡単な説明】
【００２３】
【図１】本発明の一実施形態に係る水栓装置の概略を断面的に示した図である。
【図２】本発明の第１実施形態に係る水栓装置の電気的構成を示すブロック図である。
【図３】本発明の水栓装置のセンサの検出信号に基づいた動作を説明するためのタイミングチャートである。
【図４】本発明の第１実施形態に係る水栓装置の動作を説明するためのタイミングチャートである。
【図５】本発明の第２実施形態に係る水栓装置の電気的構成を示すブロック図である。
【図６】本発明の第２実施形態に係る水栓装置の動作を説明するためのタイミングチャートである。
【図７】本発明の第２実施形態に係る水栓装置の停電検知動作を説明するためのタイミングチャートである。
【図８】本発明の第２実施形態に係る水栓装置の停電復帰検知動作を説明するためのタイミングチャートである。
【発明を実施するための形態】
【００２４】
図１は、本発明の一実施形態に係る水栓制御装置（給水システム）１００の概略を断面的に示した図である。水栓制御装置１００は、人体を検出して自動的な吐水を行うものであり、洗面台に備え付けられる洗面器１に対して吐水を行う。
【００２５】
洗面器１は、洗面カウンタ２の上面に設けられる。洗面カウンタ２上には、洗面器１のボール面１ａに対して水を吐出するためのスパウトを構成する吐水部３が設けられる。吐水部３は、水を吐出する吐水口３ａを有し、この吐水口３ａから吐出される水が洗面器１のボール面１ａ内に吐出されるように設けられる。
【００２６】
吐水口３ａから吐出する水は、給水路４により供給される。給水路４は、水道管等の給水源から供給される水を吐水口３ａへと導く。洗面器１には、排水路５が接続されている。排水路５は、吐水口３ａから洗面器１のボール面１ａ内に吐水された水を排出する。
【００２７】
水栓制御装置１００は、電磁弁６と、吐水部３と、駆動部９とを備える。吐水部３と駆動部９は分離されており、電磁弁６及び駆動部９は、スパウトを構成する吐水部３とは別に、洗面台の下側に収容される。本実施形態において、電磁弁６及び駆動部９をまとめて機能部１１とする。
【００２８】
吐水部３と駆動部９は、接続ケーブル７で接続されている。駆動部９は接続ケーブル７を介して吐水部３に電源電圧を供給し、吐水部３は、接続ケーブル７を介して駆動部９を制御する。
【００２９】
電磁弁６は、実際に駆動することで弁の役割を持つ電磁弁本体６ａ（図１に図示せず）と、電磁弁本体６ａを駆動させる回路である駆動回路６ｂからなり、給水路４に設けられ、給水路４の開閉を行う。電磁弁本体６ａが開くと、給水路４から供給される水が吐水口３ａから吐出される吐水状態となり、電磁弁本体６ａが閉じると、給水路４から供給される水が吐水口３ａから吐出されない止水状態となる。
【００３０】
電磁弁６は駆動部９に接続されており、駆動部９は、電磁弁６に駆動信号を出力させ、電磁弁本体６ａの開閉動作を制御する。電磁弁本体６ａは、駆動部９からの制御信号に従って電気的に制御され、給水路４の開閉を行う。このように、電磁弁本体６ａは、吐水口３ａから吐水される水の給水路４を開閉する給水バルブとして機能する。
【００３１】
電磁弁本体６ａは、いわゆるラッチングソレノイドバルブと称される自己保持型電磁弁であり、ソレノイドコイルへの一方向への通電によって閉状態から開状態に動作（開動作）し、その後ソレノイドコイルへの通電を遮断しても開状態を保持し、ソレノイドコイルへの他方向への通電によって開状態から閉状態に動作（閉動作）し、その後ソレノイドコイルへの通電を遮断しても閉状態を保持する。
【００３２】
吐水部３は、センサ８を備えており、吐水口３ａに接近する対象物（手など）を検出する。この吐水口３ａの吐水先が、センサ８の検知領域となる。センサ８は、伝播波を送信し、送信した伝播波を受けた人体等の対象物から反射した伝播波を受信することにより、対象物の位置や動き等を検出する。
【００３３】
なお、以下では、センサ８の伝播波として赤外線を例に取り説明を行うが、センサ８が用いる伝播波として、例えば、マイクロ波、ミリ波、超音波、光等を用いてもよいし、他の周波数の電波を伝播波に用いてもよい。また、マイクロ波を用いる場合は、センサ８としてマイクロ波ドップラーセンサを用いてもよい。
【００３４】
センサ８は、吐水部３の吐水口３ａ近くの内部に設けられ、洗面台の使用者側（図１において左側）に向けて伝播波を送信するように配置される。これにより、センサ８は、吐水口３ａに人体が近づいてきたことや、吐水口３ａに近づいた人体から吐水口３ａに向けて手が差し出されたこと等を検出することができる。
【００３５】
吐水部３は、駆動部９に接続される。駆動部９は、吐水部３の出力する信号を入力されており、この信号に基づいて対象物の位置や動き等を検知する。そして、その検知結果に基づいて電磁弁６を制御する。
【００３６】
駆動部９は、吐水部３の出力する信号に基づいて電磁弁本体６ａの開閉動作を制御する。このため、駆動部９には、吐水部３からの出力信号が入力される。また、駆動部９は、電磁弁６に対して制御信号を出力する。
【００３７】
以上のように、本実施形態の水栓制御装置１００は、電磁弁６と、吐水部３と、駆動部９とを備え、吐水部３が検出信号に基づいて駆動部９を制御することにより、電磁弁６の電磁弁本体６ａの開閉動作を制御する。これにより、吐水口３ａに接近する対象物の検出結果（洗面台の使用者の動き等）に応じた吐水を行う。
【００３８】
また、本実施形態の水栓制御装置１００は、入力部１０を備えており、入力部１０に入力された信号に応じた吐水も行う。また、電源部１５の電源遮断を検出する電源遮断検出部１２３も備えている。これらの詳しい動作に関しては後述する。
【００３９】
（１）第１実施形態の構成：
次に、第１実施形態の水栓制御装置１００の電気的構成について説明する。図２は、本実施形態の水栓制御装置１００の電気的構成を説明するためのブロック図であり、図３は、本発明の水栓装置のセンサの検出信号に基づいた動作を説明するためのタイミングチャートであり、図４は、本発明の第１実施形態に係る水栓装置の動作を説明するためのタイミングチャートである。
【００４０】
図２に示すように、吐水部３は、吐水口３ａ、制御部１１２をさらに備えており、電源部１５は、電源回路１２４を備えており、機能部１１は、駆動部９及び電磁弁６を備えている。これら吐水部３、電源部１５、機能部１１は、本実施形態において水栓制御装置１００を構成する。
【００４１】
センサ８は、赤外線を透光する投光素子、赤外線を受光する受光素子、及び物体検知処理部を備えている。物体検知処理部は、投光素子や受光素子の投光及び受光タイミングを制御したり、受光素子の受光した光信号に基づく物体検知を行ったりする。物体検知処理部は、対象物を検知すると検知信号を制御部１１２に出力する。
【００４２】
制御部１１２は、例えば、ＣＰＵ（Ｃｅｎｔｒａｌ  Ｐｒｏｃｅｓｓｉｎｇ  Ｕｎｉｔ）やメモリ、入出力インターフェイス等の各種機能部分を備え、これら各種機能部分が、データ通信用のバス等により互いに通信可能に接続されている。
【００４３】
制御部１１２は、入出力インターフェイスとして、少なくとも、駆動部９に対して開指令信号Ｓ１を入出力するための入出力インターフェイスと、閉指令信号Ｓ２を入出力するための入出力インターフェイスを有する。
【００４４】
制御部１１２は、メモリとして、少なくとも、ＣＰＵが演算処理を行う際にワークエリアとして利用するメモリと、各種の情報を記憶するための不揮発性メモリと、ＣＰＵが水栓制御装置１００を制御するために実行する制御プログラムを記憶するためのメモリと、を有する。これらメモリは、別々に用意してもよいし、単一のメモリを共用してもよい。
【００４５】
吐水部３と駆動部９とは、所定の接続ケーブル７で接続されている。当該所定の接続ケーブルは、駆動部９が吐水部３へ供給する電源を伝送するための電源ラインＬ５（図示せず）とＧＮＤラインＬ６（図示せず）、及び、吐水部３が駆動部９へ出力する開指令信号Ｓ１を伝送するための第１信号ラインＬ１と閉指令信号Ｓ２を伝送するための第２信号ラインＬ２、の計４本の信号線により構成されている。
【００４６】
制御部１１２が制御する開指令信号Ｓ１は、第１信号ラインＬ１を介して駆動部９に入力され、制御部１１２制御する閉指令信号Ｓ２は、第２信号ラインＬ２を介して駆動部９に入力される。
【００４７】
なお、開指令信号Ｓ１とは、電磁弁本体６ａを開弁するための開駆動の実行を駆動部９に対して指示するための信号であり、閉指令信号Ｓ２とは、電磁弁６ａを閉弁するための閉駆動の実行を駆動部９に対して指示するための信号である。
【００４８】
また、開駆動信号Ｓ３とは、電磁弁本体６ａを開弁するための開弁動作の実行を駆動回路６ｂに対して指示するための信号であり、閉駆動信号Ｓ４とは、電磁弁本体６ａを閉弁するための閉弁動作を駆動回路６ｂに対して指示するための信号である。なお、開駆動信号Ｓ３は、駆動部９と駆動回路６ｂとを接続する第３信号ラインＬ３を介して伝送される信号であり、閉駆動信号Ｓ４は、駆動部９と駆動回路６ｂとを接続する第４信号ラインＬ４を介して伝送される信号である。
【００４９】
なお、以下では、これら信号Ｓ１〜Ｓ４の電圧状態は、アクティブ／非アクティブという語を用いて説明する。アクティブな開指令信号Ｓ１とは、駆動部９に対して電磁弁本体６ａの開駆動を指令する信号の電圧状態を意味し、非アクティブな開指令信号Ｓ１とは、駆動部９に対して電磁弁本体６ａの開駆動を指令しない信号の電圧状態を意味する。また、アクティブな開駆動信号Ｓ３とは、電磁弁本体６ａを開弁させる駆動を指示する駆動信号の電圧状態を意味し、非アクティブな開駆動信号Ｓ３とは、前記電磁弁本体６ａを開弁させる駆動を指示しない駆動信号の電圧状態を意味する。
【００５０】
制御部１１２は、センサ８の検出信号に基づいて、所定の期間、第１信号ラインＬ１の電圧値を非アクティブからアクティブに、又は第２信号ラインＬ２の電圧値を非アクティブからアクティブに切り替えるように制御する。具体的には、センサ８が人体を検知したときに、制御部１１２は所定の期間、第１信号ラインＬ１がアクティブな開指令信号Ｓ１になるように制御し、その結果、駆動部９は、第３信号ラインＬ３がアクティブな開駆動信号Ｓ３になるように制御する。第３信号ラインＬ３がアクティブな開駆動信号Ｓ３になっている間、電磁弁６は開通電され、電磁弁本体６ａが開弁すると、アクティブな開駆動信号Ｓ３の制御は終了する。そして、センサ８が人体を検知しなくなったときに、制御部１１２は所定の期間、第２信号ラインＬ２がアクティブな閉指令信号Ｓ２になるように制御し、その結果、駆動部９は、第４信号ラインＬ４がアクティブな閉駆動信号Ｓ４になるように制御する。第４信号ラインＬ４がアクティブな開駆動信号Ｓ４になっている間、電磁弁６は閉通電され、電磁弁本体６ａが閉弁すると、アクティブな閉駆動信号Ｓ４の制御は終了する。
【００５１】
図３は、本発明の水栓装置のセンサの検出信号に基づいた動作を説明するためのタイミングチャートである。センサ８が物体を検出したとき（時刻ｔ１）、制御部１１２は、第１信号ラインＬ１がアクティブな開指令信号Ｓ１になるように制御する。第１信号ラインＬ１がアクティブな開指令信号Ｓ１になると、駆動部９は、第３信号ラインＬ３がアクティブな開駆動信号Ｓ３になるように制御する。所定時間経過後、制御部１１２は、第１信号ラインＬ１が非アクティブな開指令信号Ｓ１になるように制御し、その結果、駆動部９は、第３信号ラインＬ３が非アクティブな開駆動信号Ｓ３になるように制御する（時刻ｔ２）。この所定時間は、電磁弁本体６ａを開弁させるために必要な、電磁弁６への開通電時間であり、電磁弁本体６ａの開弁が終了したとき、第３信号ラインＬ３は非アクティブな開駆動信号Ｓ３となる構成になっている。
【００５２】
センサ８が物体を検出しなくなったとき（時刻ｔ３）、制御部１１２は、第２信号ラインＬ２がアクティブな閉指令信号Ｓ２になるように制御する。第２信号ラインＬ２がアクティブな閉指令信号Ｓ２になると、駆動部９は、第４信号ラインＬ４がアクティブな閉駆動信号Ｓ４になるように制御する。所定時間経過後、制御部１１２は、第２信号ラインＬ２が非アクティブな閉指令信号Ｓ２になるように制御し、その結果、駆動部９は、第４信号ラインＬ４が非アクティブな閉駆動信号Ｓ４になるように制御する（時刻ｔ４）。この所定時間は、電磁弁本体６ａを閉弁させるために必要な、電磁弁６への閉通電時間であり、電磁弁本体６ａの閉弁が終了したとき、第４信号ラインＬ４は非アクティブな閉駆動信号Ｓ４となる構成になっている。
【００５３】
入力部１０は、使用者の入力を検知すると、第１信号ラインＬ１を入力検知信号Ｄ１にする。この入力部１０から制御される入力検知信号Ｄ１は、アクティブの開指令信号Ｓ１と違い、駆動部９に開指令を与えるものではない。具体的には、アクティブの開指令信号Ｓ１の電圧の絶対値より、入力検知信号Ｄ１の電圧の絶対値の方が小さい値であるため、駆動部９は、入力検知信号Ｄ１を開指令と認識しない。
【００５４】
第１信号ラインＬ１が入力検知信号Ｄ１になり、その後非アクティブの開指令信号Ｓ１となったとき、制御部１１２はそれに応じて第１信号ラインＬ１をアクティブの開指令信号Ｓ１又は第２信号ラインＬ２がアクティブの閉指令信号Ｓ２になるように所定の期間、制御する。具体的には、吐水中において、第１信号ラインＬ１が入力検知信号Ｄ１になり、その後非アクティブの開指令信号Ｓ１となったとき、制御部１１２は第２信号ラインＬ２がアクティブの閉指令信号Ｓ２になるように所定の期間制御し、止水中において、第１信号ラインＬ１が入力検知信号Ｄ１になり、その後非アクティブの開指令信号Ｓ１となったとき、制御部１１２は第１信号ラインＬ１がアクティブの開指令信号Ｓ１になるように所定の期間、制御する。
【００５５】
電源遮断検出部１２３は、電源回路１２４の電源状態を監視しており、電源回路１２４において電源が遮断されたことを検知すると、制御部１１２に対して電源が遮断されたことを通知するための遮断通知を行う。
【００５６】
なお、ここで言う電源の遮断とは、また、電力会社からの商用電源自体の供給が停止したり、ブレーカの遮断動作によって本装置への商用電源の供給が停止したりするといった、一般的に言う停電を含むことはもちろん、商用電源のコンセントから本装置のプラグが抜けることで本装置に対するＡＣ電源の供給が停止する場合や、電源回路１２４の不具合により電源回路１２４からの電源電圧が出力されなくなる場合も含む。
【００５７】
電源遮断検出部１２３は、電源遮断を検知すると、第１信号ラインＬ１を電源遮断検出信号Ａ１にし、第３信号ラインＬ３を非アクティブの開駆動信号Ｓ３にする。第１信号ラインＬ１が電源遮断検出信号Ａ１になると、制御部１１２はそれに応じて第２信号ラインＬ２がアクティブの閉指令信号Ｓ２になるように所定の期間、制御する。電源遮断検出信号Ａ１はアクティブの電圧状態であるが、電源遮断検出部１２３は、第３信号ラインＬ３を非アクティブの開駆動信号Ｓ３にしているため、駆動部９は、アクティブの開指令信号Ｓ１になるように制御されても、第３信号ラインＬ３はアクティブの開駆動信号Ｓ３にならない。
【００５８】
図４は、本発明の第１実施形態に係る水栓装置の動作を説明するためのタイミングチャートである。止水時において、入力部１０は、使用者の外部入力信号を検知すると、第１信号ラインＬ１を電圧状態が中レベルの入力検知信号Ｄ１にする（時刻Ｔ０１）。入力検知信号Ｄ１への切り替えは、入力部１０が外部入力信号を検知しなくなるまで行われる（時刻Ｔ０２）。入力検知信号Ｄ１の切り替えが終了し、非アクティブの第１信号ラインとなると、その所定時間経過後、制御部１１２は所定の期間、第１信号ラインＬ１がアクティブな開指令信号Ｓ１（アクティブな開指令信号ＡＯ）になるように制御する（時刻Ｔ０３〜Ｔ０４）。アクティブな開指令信号Ｓ１（アクティブな開指令信号ＡＯ）が駆動部９に入力されると、駆動部９は第３信号ラインＬ３がアクティブな開駆動信号Ｓ３になるように制御する。アクティブな開駆動信号Ｓ３の制御が終了したとき、電磁弁本体６ａは開弁しており、電磁弁６の駆動回路６ｂは電磁弁本体６ａへの開通電を終了させる（時刻Ｔ０４）。
【００５９】
吐水時において、電源遮断検出部１２３は、電源の遮断を検知すると、第１信号ラインＬ１を電圧状態が低レベルの電源遮断検出信号Ａ１にする（時刻Ｔ０５〜Ｔ０７）。また、このとき電源遮断検出部１２３は、第３信号ラインＬ３が非アクティブな開駆動信号Ｓ３にする（時刻Ｔ０５〜Ｔ０７）。これにより、アクティブな開指令信号Ｓ１である電源遮断検出信号Ａ１によって、駆動部９が第３信号ラインＬ３をアクティブな開駆動信号Ｓ３になるよう制御することを防ぐ。第１信号ラインＬ１が電源遮断検出信号Ａ１になると、制御部１１２は所定の期間、第２信号ラインＬ２がアクティブな閉指令信号Ｓ２になるように制御する（時刻Ｔ０５〜Ｔ０６）。アクティブな閉指令信号Ｓ２が駆動部９になるように制御されると、駆動部９は、第４信号ラインＬ４がアクティブな閉駆動信号Ｓ４になるように制御する。アクティブな閉駆動信号Ｓ４の制御が終了したとき、電磁弁本体６ａは閉弁しており、電磁弁６の駆動回路６ｂは電磁弁本体６ａへの閉通電を終了させる（時刻Ｔ０６）。
【００６０】
次に、入力部１０が外部入力信号を検知している間に（時刻Ｔ０８〜Ｔ０１１）、電源遮断検出部１２３が電源の遮断を検知した（時刻Ｔ０９〜Ｔ０１２）場合について説明する。入力部１０は、止水時において、外部入力信号を検知すると、第１信号ラインＬ１を電圧状態が中レベルの入力検知信号Ｄ１にする（時刻Ｔ０８）。このとき、第１信号ラインＬ１への入力検知信号Ｄ１への切り替えが終了する前に、電源遮断検出部１２３が電源の遮断を検知すると、第１信号ラインＬ１を電圧状態が低レベルの電源遮断検出信号Ａ１にする（時刻Ｔ０９）。また、電源遮断検出部１２３は、第３信号ラインＬ３を非アクティブな開駆動信号Ｓ３にさせる（時刻Ｔ０９）。このとき、電圧状態が中レベルの入力検知信号Ｄ１より、電圧状態が低レベルの電源遮断検出信号Ａ１の方が電圧降下の大きさが大きいため、入力検知信号Ｄ１と電源遮断検出信号Ａ１の両方の信号の切り替えがされた際は、電源遮断検出信号Ａ１になる。第１信号ラインＬ１を電圧状態が低レベルの電源遮断検出信号Ａ１になると、制御部１１２は所定の期間、第２信号ラインＬ２がアクティブな閉指令信号Ｓ２になるように制御する（時刻Ｔ０９〜Ｔ０１０）。アクティブな閉指令信号Ｓ２が駆動部９に入力されると、駆動部９は、第４信号ラインＬ４がアクティブな閉駆動信号Ｓ４になるように制御される。アクティブな閉駆動信号Ｓ４の制御が終了したとき、電磁弁本体６ａは閉弁しており、電磁弁６の駆動回路６ｂは電磁弁本体６ａへの閉通電を終了させる（時刻Ｔ０１０）。その後、電源遮断検出部１２３は、電源の復帰を検出すると、第１信号ラインＬ１が電源遮断検出信号Ａ１にすることを終了し（時刻Ｔ０１２）、第１信号ラインＬ１は通常の状態である非アクティブな開指令信号Ｓ１に戻る。
【００６１】
以上より、入力部１０が外部入力信号を検知している状態において、電源遮断検出部１２３が電源の遮断を検知すると、入力検知信号Ｄ１より電圧状態が低レベルの電源遮断検出信号Ａ１に優先して切り替わる。
【００６２】
第１実施形態において、入力検知信号Ｄ１は非アクティブな電圧状態であるが、アクティブな電圧状態に設定して用いてもよい。その場合は、入力部１０は第３信号ラインＬ３を非アクティブにする構成にすればよい。また、第１実施形態において、入力部１０が使用者の入力を検知すると、第１信号ラインＬ１が入力検知信号Ｄ１になる形態のみを説明したが、それに限らず、第２信号ラインＬ２が入力検知信号Ｄ１になる形態でも良い。その場合においても、入力検知信号Ｄ１を非アクティブな電圧状態ではなくアクティブな電圧状態に設定し、且つ入力部１０が第３信号ラインＬ３を非アクティブにする構成にしても良い。
【００６３】
また、第１実施形態において、電源遮断検出信号Ａ１はアクティブな電圧状態であるが、入力部１０からの入力検知信号Ｄ１より電圧降下の値が大きい非アクティブな電圧状態に設定して用いることも考えられる。その場合は、電源遮断検出部１２３は第３信号ラインＬ３を非アクティブにする構成にしなくとも良い。
【００６４】
さらに、入力部１０が第２信号ラインＬ２の電圧状態を切り替える構成にし、電源遮断検出部１２３が第１信号ラインＬ１の電圧状態を切り替える構成にすれば、入力部１０が切り替える電圧状態の電圧レベルと、電源遮断検出部１２３が切り替える電圧状態のレベルを変えなくとも良い。つまり、入力検知信号Ｄ１と電源遮断検出信号Ａ１を、同じ電圧状態の信号に設定することが可能である。
【００６５】
また、図面に記載はしていないが、第１信号ラインＬ１又は第２信号ラインＬ２に、吐水時間の設定やセンサ８の検知ルールの設定に用いるＥＥＰＲＯＭ等の不揮発性メモリを接続して使用しても良い。その場合、制御部１１２と不揮発性メモリとのデータ通信は、不揮発性メモリが接続されている第１信号ラインＬ１又は第２信号ラインＬ２が非アクティブの電圧状態のときに行う。このような構成にすることで、不揮発性メモリとの通信のための新たな通信ラインを設けることなく、第１信号ラインＬ１又は第２信号ラインＬ２を用いてデータ通信が行えるため、不揮発性メモリとの通信のための新たな通信ラインを吐水部３内に設けた場合と比べて、吐水部３をコンパクト化することができる。
【００６６】
（２）第２実施形態の構成：
図５は、本発明における第２実施形態に係る水栓装置の電気的構成を示すブロック図である。なお、図番号が同じものは、第１実施形態と同じ動作を行うものであり、説明は省略する。
【００６７】
図５において、電源遮断検出部１２３は、電源遮断を検出した際に、第１信号ラインＬ１だけでなく、第２信号ラインＬ２もアクティブの開指令信号Ｓ１にする。このような構成にすることで、入力部１０から第１信号ラインＬ１への電圧状態の切り替えがされた際と電源遮断検出部１２３から第１信号ラインＬ１への電圧状態の切り替えがされた際に、第２信号ラインＬ２の信号の有無を見ることで、電源の遮断が起こったか否かが確実にわかる。よって、第１実施形態のように、入力部１０から第１信号ラインＬ１に送る信号の電圧状態と電源遮断検出部１２３から第１信号ラインＬ１に送る信号の電圧状態を変える必要がない。  
【００６８】
また、電源遮断検出部１２３は、電源遮断を検出した際に、第３信号ラインＬ３を非アクティブな開駆動信号Ｓ３にする。このような構成にすることで、電源遮断検出部１２３は、電源遮断を検出した際に、電磁弁本体６ａの開動作を終了させ、閉動作を行うように指示できる。
【００６９】
さらに、電源遮断検出部１２３には電源入力の有無が検出できる電源遮断検出回路部１２３ａが設けてあり、電源遮断検出回路部１２３ａと第２信号ラインＬ２、及び電源遮断検出回路部１２３ａと第４信号ラインＬ４との間に第１信号遅延部１３を、電源遮断検出回路１２３ａと第１信号ラインＬ１、及び電源遮断検出回路部１２３ａと第３信号ラインＬ３との間に第２信号遅延部１４を、それぞれ設ける。第１信号遅延部１３と第２信号遅延部１４の役割は後述する。
【００７０】
図６は、本発明の第２実施形態に係る水栓装置の動作を説明するためのタイミングチャートである。止水時において、入力部１０は、使用者からの外部入力信号を検知したとき、第１信号ラインＬ１をアクティブの開指令信号Ｓ１にする（時刻Ｔ１０）。さらに、このとき、入力部１０は、第３信号ラインＬ３を非アクティブの開駆動信号Ｓ３にする。制御部１１２は、第１信号ラインＬ１がアクティブの開指令信号Ｓ１となったことを検出すると、所定の期間、第２信号ラインＬ２をアクティブの閉指令信号Ｓ２となるように制御し、その結果、駆動部９は、所定の期間、第４信号ラインＬ４がアクティブの閉駆動信号Ｓ４となるように制御する（時刻Ｔ１０〜Ｔ１１）。入力部１０が第１信号ラインＬ１をアクティブの開指令信号Ｓ１にした段階では、制御部１１２は、入力部１０が外部入力信号を検知したのか、電源遮断検出部が電源の遮断を検知したのか判別できないため、制御部１１２は、第１信号ラインＬ１において信号の切り替えが起こった際には、必ず第２信号ラインＬ２をアクティブの閉指令信号Ｓ２となるように制御する構成としている。入力部１０が外部入力信号を検知しなくなると、所定時間経過後、制御部１１２は所定の期間、第１信号ラインＬ１がアクティブな開指令信号Ｓ１になるように制御する（時刻Ｔ１３〜Ｔ１４）。アクティブな開指令信号Ｓ１が駆動部９に入力されている間、駆動部９は第３信号ラインＬ３がアクティブな開駆動信号Ｓ３になるように制御する。アクティブな開駆動信号Ｓ３の制御が終了したとき、電磁弁本体６ａは開弁しており、電磁弁６の駆動回路６ｂは電磁弁本体６ａへの開通電を終了させる（時刻Ｔ１４）。
【００７１】
吐水時において、入力部１０は、使用者からの外部入力信号を検知したとき、第１信号ラインＬ１をアクティブの開指令信号Ｓ１にする（時刻Ｔ１５）。制御部１１２は、第１信号ラインＬ１がアクティブの開指令信号Ｓ１となったことを検出すると、所定の期間、第２信号ラインＬ２をアクティブの閉指令信号Ｓ２となるように制御し、その結果、駆動部９は、所定の期間、第４信号ラインＬ４がアクティブの閉駆動信号Ｓ４となるように制御する（時刻Ｔ１５〜Ｔ１６）。アクティブな閉駆動信号Ｓ４の制御が終了したとき、電磁弁本体６ａは閉弁しており、電磁弁６の駆動回路６ｂは電磁弁本体６ａへの閉通電を終了させる（時刻Ｔ１６）。
【００７２】
本発明の第２実施形態に係る水栓装置において、入力部１０へ与えられる外部入力信号は、所定時間以上の長さが必要である。これは、後述する電源遮断検出部１２３による停電検知動作において、瞬間停電による電源遮断の検知と区別するためである。詳しくは後述する。
【００７３】
図７は、本発明の第２実施形態に係る水栓装置の停電検知動作を説明するためのタイミングチャートである。吐水時において、電源遮断検出部１２３が停電等の電源遮断を検出したとき（時刻Ｔ２０）、電源遮断検出部１２３は、第２信号遅延部１４を経由し、第１信号ラインＬ１をアクティブな開指令信号Ｓ１にし、そして第３信号ラインＬ３を非アクティブな開駆動信号Ｓ３にする。第１信号ラインＬ１がアクティブな開指令信号Ｓ１になると、制御部１１２はそれを検知し、第２信号ラインＬ２を所定の期間（時刻Ｔ２０〜Ｔ２１）、アクティブな閉指令信号Ｓ２になるように制御する。駆動部９にアクティブな閉指令信号Ｓ２が入力されると、第４信号ラインＬ４がアクティブな閉駆動信号Ｓ４になるように制御することで電磁弁本体６ａを閉弁させ、吐水口３ａからの水を止水させる（時刻Ｔ２１）。
【００７４】
電源遮断検出部１２３が停電等の電源遮断を検出したとき（時刻Ｔ２０）、第２信号ラインＬ２及び第４信号ラインＬ４にも電圧状態の切り替えを行うが、これらの切り替えは、第１信号遅延部１３により１００ｍｓ遅れて第２信号ラインＬ２及び第４信号ラインＬ４に対して行われる（時刻Ｔ２２）。このように、１００ｍｓ遅れて第２信号ラインＬ２に電圧状態の切り替えが行われることで、制御部１１２からのアクティブな閉指令信号Ｓ２と電源遮断検出部１２３からの信号が混ざることがない。よって、制御部１１２は確実に電源遮断の有無を検出できる。また本実施形態では、第２遅延部１４からの遅延時間を１００ｍｓとしているが、それに限らず、制御部１１２からのアクティブな閉指令信号Ｓ２が制御されている所定の期間、即ち制御部１１２が電磁弁本体６ａを閉弁させるために実行する吐水制御に要する時間（時刻Ｔ２０〜Ｔ２１）より十分に長ければよい。
【００７５】
図８は、本発明の第２実施形態に係る水栓装置の停電復帰検知動作を説明するためのタイミングチャートである。止水時において、電源遮断検出部１２３が電源遮断を検出したとき（時刻Ｔ３０）、先ほど説明したように、電源遮断検出部１２３は、第２信号遅延部１４を経由し第１信号ラインＬ１及び第３信号ラインＬ３に、第１信号遅延部１３を経由し第２信号ラインＬ２及び第４信号ラインＬ４に、それぞれ電圧状態の切り替えを行う。ここで、第１信号ラインＬ１及び第２信号ラインＬ２へ切り替わる信号は、アクティブな開指令信号Ｓ１及びアクティブな閉指令信号Ｓ３であり、第３信号ラインＬ３及び第４信号ラインＬ４へ切り替わる信号は非アクティブな開駆動信号Ｓ３及び非アクティブな閉駆動信号Ｓ４である。アクティブな閉駆動信号Ｓ４の制御が終了したとき、電磁弁本体６ａは閉弁しており、電磁弁６の駆動回路６ｂは電磁弁本体６ａへの閉通電を終了させる（時刻Ｔ３１）。電源遮断検出部１２３から第２信号ラインＬ２及び第４信号ラインＬ４へ切り替わる信号は、１００ｍｓ遅れて制御される（時刻Ｔ３２）。
【００７６】
その後、停電が復帰し、電源遮断検出部１２３が電源の復帰を検出したとき（時刻Ｔ３３）、第１信号遅延部１３を経由し第２信号ラインＬ２及び第４信号ラインＬ４へ切り替わる信号は停止されるが（時刻Ｔ３３）、第２信号遅延部１４を経由し、第１信号ラインＬ１及び第３信号ラインＬ３へ切り替わる信号は、電源遮断検出部１２３が電源の復帰を検出してから２００ｍｓ遅れて停止される（時刻Ｔ３４）。
【００７７】
この遅延時間２００ｍｓは、制御部１１２が電磁弁本体６ａを開弁させるために実行する吐水制御に要する時間よりも十分に長い時間として設定されている。これにより、制御部１１２が第１信号ラインＬ１にアクティブの開指令信号Ｓ１を出力している期間に、電源遮断検出部１２３が遮断検知動作を行った場合であっても、制御部１１２が第１信号ラインＬ１に対するアクティブの開指令信号Ｓ１の制御を終了した後まで、第１信号ラインＬ１へアクティブな開指令信号Ｓ１の制御を維持するため、制御部１１２に電源の遮断を確実に通知することが出来る。
【００７８】
すなわち、吐水制御中に電源の遮断が発生した場合であっても、電源遮断検出部１２３は、制御部１１２が吐水制御を終了するまで第１信号ラインＬ１へアクティブな開指令信号Ｓ１の制御を維持する事になる。これにより、止水状態・吐水状態に関わらず、電源の遮断が発生した時に、制御部１１２が、電源の遮断の発生を確実に検知する事が出来る。
【００７９】
以上より、図８を用いて停電から復帰した際の検知動作を説明したが、停電が起こってから短時間で復帰した場合、即ち瞬間停電が起こった場合には、電源遮断検出部１２３が電源遮断を検出する時間が短すぎるため、電源遮断検出部１２３は第２信号ラインＬ２がアクティブな閉指令信号Ｓ２になるように切り替えを行えない可能性がある。その場合、図６を用いて説明した入力部１０の外部入力信号の検知動作と区別が付かなくなってしまう恐れがある。そのため、上述した通り、制御部は所定時間以上、第１信号ラインＬ１のアクティブな開指令信号Ｓ１を検出しないと、入力部１０が外部入力信号を検知したと認識しない構成としてある。その場合、制御部１１２は、第１信号ラインＬ１がアクティブな開指令信号Ｓ１になるように制御せず、第１信号ラインＬ１は非アクティブな開指令信号Ｓ１のままである。よって、瞬間停電が起こった場合においても、吐水動作は起こらない。また、以上のことから、入力部１０へ与えられる外部入力信号は、所定時間以上の長さが必要である。
【００８０】
以上説明したように、本実施形態に係る水栓制御装置１００によれば、センサ８の検出結果に応じて制御される水栓制御装置１００に入力部１０を設けた場合において、新たな信号線を設けることが無く、吐水部３の大型化を防ぐことができる。
【００８１】
なお、本発明は上述した実施形態に限られず、上述した２つの実施形態の中で開示した各構成を相互に置換したり組み合わせを変更したりした構成、公知技術並びに上述した２つの実施形態の中で開示した各構成を相互に置換したり組み合わせを変更したりした構成、等も含まれる。また，本発明の技術的範囲は上述した実施形態に限定されず，特許請求の範囲に記載された事項とその均等物まで及ぶものである。
【００８２】
また、本発明の一実施形態では、洗面器１に吐水を行う水栓制御装置１００を用いて説明したが、それに限らず、バスルームやキッチンに用いられる水栓装置や大便器、小便器などに用いることも、本発明の技術的範囲に含まれるものである。さらに、本発明の一実施形態では、入力部１０は使用者からの入力信号を検知するものであったが、それに限らず、外部から入力される信号であれば良い。
【符号の説明】
【００８３】
１００…水栓制御装置（給水システム）、１…洗面器、１ａ…ボール面、２…洗面カウンタ、３…吐水部、３ａ…吐水口、４…給水路、５…排水路、６…電磁弁、６ａ…電磁弁本体、６b…駆動回路、７…接続ケーブル、８…センサ、９…駆動部、１０…入力部、１１…機能部、１３…第１信号遅延部、１４…第２信号遅延部、電源部１５、１１２…制御部、１２３…電源遮断検出部、１２３ａ…電源遮断検出回路、１２４…電源回路、Ｌ１…第１信号ライン、Ｌ２…第２信号ライン、Ｌ３…第３信号ライン、Ｌ４…第４信号ライン
【図１】
2015055134.tif 000003
【図２】
2015055134.tif 000004
【図３】
2015055134.tif 000005
【図４】
2015055134.tif 000006
【図５】
2015055134.tif 000007
【図６】
2015055134.tif 000008
【図７】
2015055134.tif 000009
【図８】
2015055134.tif 000010